(57)【特許請求の範囲】
【請求項１】
試料試験管を保存し、保存している試料試験管を取り出す研究室の搬入・搬出システムであって、
該研究室の搬入・搬出システムは、ラック取扱部（１２）と保存区画（１４）とを有し、
前記ラック取扱部（１２）は、搬送システムと判定ユニットとを有し、前記搬送システムは、試料試験管（Ｓ）を収容している搬入一次ラック（ＰＲ）を受け入れ、さらに前記試料試験管（Ｓ）の予め決められた仕分基準に係る少なくとも１つの所定のパラメータを判定するために前記判定ユニットに搬送し、前記仕分基準は、前記試料試験管（Ｓ）の径を含んでなり、
前記搬送システムは、分析済みの前記一次ラック（ＰＲ）から、前記判定ユニットによりシステム適合であると判定された前記試料試験管を取り出し、システム非適合であると判定された前記試料試験管を分析済みの前記一次ラック（ＰＲ）に留め置き、さらに前記保存区画（１４）内の保存ラックの保存のための、判定された試料試験管の仕分基準パラメータにしたがって、前記取り出された試料試験管を適切な前記保存ラック（ＳＲ）に再仕分けし、
前記保存ラック（ＳＲ）が、第１の径を有する試料試験管（Ｓ）を受け入れるための第１の径を有する開口を備える第１の保存ラックと、第２の径を有する試料試験管（Ｓ）を受け入れるための第２の径を有する開口を備える第２の保存ラックとを含んでなる研究室の搬入・搬出システム。
【請求項２】
前記仕分基準は、前記試料試験管の内容物、前記試料試験管の高さおよび前記試料試験管の保存期限からなるパラメータの群から選択された１のパラメータをさらに含むことを特徴とする請求項１記載の研究室の搬入・搬出システム。
【請求項３】
前記搬送システムは、搬入一次ラック（ＰＲ）を取り扱うための少なくとも１つの第１のロボットアーム（２２０）と、試料試験管（Ｓ）を一次ラック（ＰＲ）から保存ラック（ＳＲ）に再仕分けするための少なくとも１つの第２のロボットアーム（３２０）とを有することを特徴とする請求項１記載の研究室の搬入・搬出システム。
【請求項４】
前記保存区画（１４）は、前記保存ラック（ＳＲ）を搬送し、取り扱うための保存・搬送システムを有し、前記保存・搬送システムは、前記保存ラック内の前記試料試験管の保存期限が切れたときに前記保存ラックを自動的に取り出すとともに、そこに収容されている前記試料試験管を自動的に廃棄できるようになっていることを特徴とする請求項１記載の研究室の搬入・搬出システム。
【請求項５】
前記保存区画（１４）の外側に配置されている再仕分けステーション（３１０）をさらに有し、前記再仕分けステーション（３１０）は、保存ラック（ＳＲ）を保持するために少なくとも２つの保持部（３１４）を有することを特徴とする請求項１記載の研究室の搬入・搬出システム。
【請求項６】
前記保存区画（１４）は、内蔵式の処理装置（１８）をさらに有することを特徴とする請求項４記載の研究室の搬入・搬出システム。
【請求項７】
前記第２のロボットアーム（３２０）により搬出または搬入される一次ラック（ＰＲ）を受承するための一次ラックドッキング要素（３４０）をさらに有し、前記一次ラックドッキング要素（３４０）は、一次ラック（ＰＲ）を受承できるようになっている少なくとも１つの凹み（３４６）を有し、前記凹み（３４６）は、前記一次ラック（ＰＲ）をそのドッキング位置に固定するための固定機構（３５０、３５２、３５４）が設けられていることを特徴とする請求項３記載の研究室の搬入・搬出システム。
【請求項８】
前記固定機構（３５０、３５２、３５４）は、前記第１のロボットアーム（２２０）の一次ラック用把持部（２２２）によって作動させられることを特徴とする請求項７記載の研究室の搬入・搬出システム。
【請求項９】
保存ラックドッキング要素（３１２）をさらに有し、前記保存区画（１４）から取り出す対象の試料試験管は、それらの保存ラック（ＳＲ）に収容された状態で前記保存ラックドッキング要素（３１２）に移送され、前記取り出す対象の試料試験管が、搬出一次ラックに再仕分けされることを特徴とする請求項１記載の研究室の搬入・搬出システム。
【請求項１０】
研究室試料試験管を保存し、また保存している試料試験管を取り出すための研究室の搬入・搬出システムにおいて研究室試料試験管を取り扱うための方法であって、前記研究室の搬入・搬出システムは、ラック取扱部（１２）と冷蔵または保存区画（１４）とを有し、
前記ラック取扱部（１２）において、試料試験管（Ｓ）を収容している搬入一次ラック（ＰＲ）を第１のロボットアーム（２２０）により判定ユニットに移送し、前記試料試験管（Ｓ）の予め決められた仕分基準に係る少なくとも１つの所定のパラメータを判定する段階と、
第２のロボットアーム（３２０）により、分析済みの前記一次ラック（ＰＲ）から、前記判定ユニットによりシステム適合であると判定された前記試料試験管を取り出し、システム非適合であると判定された前記試料試験管を分析済みの前記一次ラック（ＰＲ）に留め置き、判定された仕分基準パラメータにしたがって前記試料試験管（Ｓ）を保存ラック（ＳＲ）に再仕分けする段階と、
前記保存ラック（ＳＲ）を前記冷蔵または保存区画（１４）に保存する段階とを含み、
前記仕分基準が、前記試料試験管（Ｓ）の径を含み、前記保存ラック（ＳＲ）が、前記一次ラック（ＰＲ）とは異なり、前記保存ラック（ＳＲ）が、第１の径を有する試料試験管（Ｓ）を受け入れるための第１の径を有する開口を備える第１の保存ラックと、第２の径を有する試料試験管（Ｓ）を受け入れるための第２の径を有する開口を備える第２の保存ラックとを含むことを特徴とする方法。
【請求項１１】
前記仕分基準は、前記試料試験管の内容物、前記試料試験管の高さおよび前記試料試験管の保存期限からなるパラメータの群から選択された１のパラメータをさらに含むことを特徴とする請求項１０記載の方法。
【請求項１２】
前記判定ユニットを用いて、前記一次ラック（ＰＲ）にある試料試験管がシステム不適合であるかどうかを判定する段階をさらに含み、前記一次ラック中に存在するシステム不適合の試料試験管はすべて、前記一次ラック（ＰＲ）に留め置かれることを特徴とする請求項１０記載の方法。
【請求項１３】
保存ラック（ＳＲ）を前記保存区画（１４）から取り出す段階と、
分析テストを行うことが望ましい試料についての試料試験管を、取り出した前記保存ラックから搬出一次ラックに再仕分けする段階と、
前記搬出一次ラックを外部位置に移送する段階とをさらに含むことを特徴とする請求項１０記載の方法。
【発明の詳細な説明】
【技術分野】
【０００１】
本発明は、研究室環境における試料試験管ラックの取扱いに、具体的にはそのような試料試験管を保存区画に保存するために試料試験管を取り扱う研究室装置に関する。より具体的には、本発明は自動化された試験管の保存・再仕分けシステムに関する。
【背景技術】
【０００２】
患者の試料の検査および種々の試験管内診断が実施される、たとえばクリニックの試験所のような研究室においては、（血液、尿などのような）試料を収容する多数の試験管を注意深くただし効率的な方法で取り扱わなければならない。このために、ここ数年はそのためのシステムと装置を備えることにより自動化された処理が行なわれてきた。
【０００３】
これらの試料試験管を取り扱うときの一観点は、試験管が、たとえば冷蔵装置であってもよいが保存区画に配置されることに係る。効率よく取り扱うために、試験管は個別に取り扱われることなく所謂ラックに収容されている。一般に試験管は、クライアント、すなわち試料を研究室に送る個人、部署または機関が前もってラックに収容し、その後これらのラックに収容した状態で研究室に送付または搬送される。研究室において、試験管を収容しているラックは検査のためにさらなる取扱いが行われる。そのようなラックは、大きさ、高さ、径、内容物、試料の有効期限などが異なる試験管をしばしば収容しているために自動的な取扱いが煩雑になり、場合によってはラックを研究室の検査工程に自動的に乗せ続けることが不可能になるためにラックを手作業で取り除かなければならなくなることもある。
【０００４】
特許文献１は、制御された雰囲気状態にあるキャビネットおよびその内部に試料を保存するための環状保持器を有する保存システムを開示している。自動搬送システムが試料を試料保持器に搬入・搬出する機構を用いて試料を移動させるようになっている。搬入・搬出機構および／または試料保持器は、中心軸の周りを回転する。試料は垂直昇降柱および移送ガイドを備える伸縮機構により、昇降台車の位置で上蓋ロック部を通る相対垂直運動をさせることによって組立体上端の上方から搬入・搬出される。
【０００５】
特許文献２は、各々が複数の試料容器を保持している試料ラックをラック供給ユニットから識別ユニットに移送して、試料容器の各々の種類を識別する操作を開示している。識別ユニットの後に複数の分析ユニットが移送ラインに沿って配置されており、また、異なる種類のピペットが分析ユニットの各々に設けられている。識別ユニットは光学検出器を用いて試料ラックの各々に保持されている試料容器の各々の長さおよび幅についての情報を検出するようになっている。制御部は、識別ユニットにより検出された情報に基づいて種類がわかっている試料容器の分析に好適な分析ユニットの１つを選び出し、種類がわかっている試料容器を選ばれた分析ユニットの、ピペットによる試料採取位置まで移送する。
【０００６】
特許文献３は、試料容器を自動的に配送するための病理学現場用の配送システムを開示している。このシステムは、試料を異なる種類の一次容器に入れる充填ステーション、容器を受け取って、容器の種類およびその中の試料を識別する試料取扱いステーション、並びにその中の試料について指示された分析方法が付けられている、配送ステーションの区画内またはラック内の容器を配送する容器配送ステーションを有する。取扱いステーションは、容器の種類を識別するために容器の蓋の形状と色および／または容器の他の特徴部分並びに液面および必要に応じて取り出すことができる試料の量を判定するために容器内の試料を撮影する画像解析機を有する。それは、また、容器内の試料を識別するためのバーコードリーダを有する。
【先行技術文献】
【特許文献】
【０００７】
【特許文献１】欧州特許第１４４１０２６号明細書
【特許文献２】米国特許第５９８５２１５号明細書
【特許文献３】国際公開第９９／２８７２４号
【発明の概要】
【発明が解決しようとする課題】
【０００８】
本発明は、研究室試料試験管を保存し、また、保存している試料試験管を搬出するための、研究室の搬入・搬出システムおよび請求項１および１０の特徴を備える、研究室の搬入・搬出システム内において、研究室試料試験管を取り扱う方法を提供する。
【課題を解決するための手段】
【０００９】
本発明によると、搬入一次ラックに収容されていて、保存装置に保存されることになっている試料試験管は、一次ラックから取り出され、取り出された試料試験管の各々は、所定の仕分基準にしたがって保存ラックに挿着される。
【００１０】
このように、本発明によると、試料試験管は一次ラックに保存されないが、一次ラックは保存ラックより高コストであるために、この方が費用効率が高くなる。さらに、試料試験管を所定の基準に基づいて再仕分けすることは、使用可能な保存場所のより有効な利用および試験管のより効果的な取り扱いを可能にしてくれる。たとえば、試験管の再仕分けは、試験管の径および／または試験管の高さのような試験管の形状についてのパラメータに基づいて行うことができる。これにより、特定の径を有するまたは特定範囲内の径の試験管が、対応する保持開口を備える適切な保存ラックに確実に配置されるようになるために、所定のラック開口に対して試験管の径が大き過ぎることによる試験管の圧壊を確実に回避することが可能になる。一方、ラック開口の径は、試料試験管の径より大き過ぎないことが望ましいが、これは、ラック内の試験管が許容できないほど大きく傾斜した位置を取るからである。垂直方向に対して大きく傾斜した試験管は、ロボットにより取り扱うことが困難である。ラック開口の有効径は、そこに収容される試料試験管の径より１０〜３０％大きいことが好ましい。
【００１１】
さらに、所定範囲の高さの試験管を収容している保存ラックを保存装置の特定の区画、たとえば隣の棚までそれ相応の高さ離れているために、その保存位置に対して背が高過ぎることによる試験管の損傷を回避可能な棚に搬入できるようにするために、試料試験管の高さを基準にして再仕分けすることもできる。また、再仕分けは、試料試験管の内容物に基づいて行なうことも可能であり、この場合、試料試験管は保存温度などの所定の保存条件にしたがってグループ分けされる。これにより、不適切な保存状態のために試料が損なわれることを回避することができる。
【００１２】
さらに、再仕分けは試料試験管の内容物の有効期限（すなわち保存期限）に基づいて行なうことも可能であり、この場合、保存期間が切れたときには保存ラックに収容されている全ての試料試験管をまとめて処分することができ、これにより期限切れの試料の廃棄が簡単になり、また期限切れの試料を誤って使用することも避けることができる。
【００１３】
その他の特徴および実施形態は、本記述および添付図面から明白になるであろう。
【００１４】
上述した特徴および以下に説明する内容は特定した組合せだけではなく、その他の組合せにおいてまたはそれ単独で、本発明の範囲から逸脱することなく用いることができると了解されるであろう。
【００１５】
種々の形態が、例としての実施形態を用いて図面に模式的に示され、また、図面を参照して以下に詳細に説明される。説明は本発明の範囲を決して制限するものではなく、好ましい実施形態の単なる例示であると了解されるものとする。
【図面の簡単な説明】
【００１６】
【図１】本発明の研究室システムを備える研究所装置の斜視図である。
【図２】本発明の試験室システムの搬入一次ラックが取り扱われるラック取扱領域の平面図である。
【図３】本発明による再仕分けステーションを後方から見たときの斜視図である。
【図４】図３の再仕分けステーションを前方から見たときの斜視図である。
【図５】図３の再仕分けステーションの平面図である。
【図６】本発明の一次ラックドッキング要素の拡大平面図である。
【図７】図６の一次ラックドッキング要素の斜視図である。
【図８】図６の一次ラックドッキング要素の固定機構を備えるラック受承用の凹みの拡大斜視図である。
【図９】図８のラック受承用の凹みを通る断面図であり、固定機構の動作を示している。
【図１０】図８のラック受承用の凹みを通る断面図であり、固定機構の動作を示している。
【図１１】図８の固定機構と互いに作用し合うようになっているロボットアームの把持部を後方から見たときの斜視図である。
【図１２】図１１の把持部を前方から見たときの斜視図である。
【図１３】図３の再仕分けステーションの保存ラックドッキング要素を上方から見たときの斜視図である。
【図１４】図１３の保存ラックドッキング要素の拡大詳細図である。
【図１５】本発明の画像解析ユニットの略平面図である。
【図１６】本発明の画像解析ユニットのバックライトボックスの平面図および正面図である。
【発明を実施するための形態】
【００１７】
以下いくつかの実施形態を参照して詳細に説明するが、その例は添付図面に示されている。可能な限り、同一の参照符号が全図面を通して同一の、または類似の構成要素を示すために用いられている。
【００１８】
図１は、本発明の研究室システムを備える研究所装置１０の斜視図である。この研究所装置１０は、総合研究所分析システムの一部を構成する所謂搬入・搬出モジュール（ＳＲＭ）である。搬入・搬出モジュールは、ラック取扱部１２（図１においては左側）および保存（好ましくは冷蔵または冷却）区画１４（図１においては右側）を有する。２つの部分１２、１４の間には、ラックがラック取扱部１２から冷蔵または冷却区画１４に搬入されるかつ（搬出の場合には）反対方向に移送される搬入・搬出インターフェース（図示せず）が配置されている。この搬入・搬出インターフェースは、ゲートなどを備えていてもよい。
【００１９】
保存区画１４は冷蔵庫１６を備える。本発明でいう所の保存区画は、好ましくは保存ラックに収容されている複数の試料試験管を保存できる種々の大きさのキャビネットである。保存区画は、保存区画内の試験管の周辺温度を室温未満、場合によっては１８℃未満、さらに、場合によっては１０℃未満に保持できる適切な調節装置を備える。
【００２０】
保存区画１４は、多数の試料試験管ラックを保存するための複数の棚をその内部に有する。本発明によると、保存区画に搬入された試料試験管ラックは所謂保存ラック、すなわち標準ラックである。このことは、本発明の形状基準を満たす一次ラック（すなわち種々の搬入ラック）に収容されている全ての試験管は、各々の一次ラックから取り出されて、保存区画１４に搬入する前に適切な保存ラックに改めて仕分けされることを意味する。保存区画は、１人または２人の人がドア（図示せず）を通って保存区画１４内に入ることができるほどの大きさである。ドアが開いたときには、安全スイッチ回路が（ロボットアーム若しくはその他の移送または搬送システムのような）全ての動作中のシステムを、たとえばニュートラルまたはホームポジションに切り換えて確実に停止させる。一次ラックは、標準形に近い形状の単列配置のラックであり、そのために複数の異なる研究室システムにおいて容易に取り扱うことができるが、二次ラック、とりわけ保存ラックは複数列ラック（たとえば１０を超える位置、たとえば１３や１４の位置を有する３列式）である。したがって、二次ラックはとりわけ保存を目的とするときには安定性がより高くなり、転倒する可能性が小さくなる。
【００２１】
また、保存区画１４は処理区画１８を有する。処理区画１８は、保存区画１４を処理区画１８から隔離する壁の内部開口（ここに示す）を介して保存区画１４に連結されている。有効期限（すなわち保存期限）が経過した試料試験管は、この開口を通り処理装置１８により自動的に廃棄される。
【００２２】
ラック取扱部１２は、オペレータがラック取扱部の動作状況を直接見ることができるよう窓が設けられた複数の外壁を備えるハウジングを有する。ラック取扱部１２は、外壁の１つに開口２０を有し、そこを介して、一次ラックを搬入・搬出モジュール１０に挿入することができる。開口２０は、（図１において、窓の１つを通して見ることができる）少なくとも１つのロボットアーム２２０を備えるラック取扱領域２１０に通じている（図２参照）。開口２０は、引き戸または回転式扉（図示せず）により閉鎖できるようになっている。
【００２３】
ラック取扱部１２は、空になった一次ラックおよび／またはエラー表示の試料試験管を収容している一次ラックおよび／または少なくとも１つの搬出試料試験管を収容しているラックを搬入・搬出モジュール１０から取り出すことができる引出し２２、２４をさらに有する。
【００２４】
またラック取扱部１２は試験管用蓋の供給タンク２８を備えるキャッピング部２６を有する。
【００２５】
搬入・搬出モジュール１０は、また、多関節アーム３４の端部にタッチ・スクリーン・モニタ３２形態のマン・マシン・インターフェース（ＭＭＩ）３０を有する。
【００２６】
図２は、本発明の研究室システムのラック取扱領域２１０の平面図である。ラック取扱領域２１０は、図１のラック取扱部１２の内部に基盤２１２を有する。それは、本質的には基盤２１２の中央にまたはラック取扱領域２１０内の少なくとも全ての部位に届くことができる、少なくともある位置に装着された第１のロボットアーム２２０をさらに有する。この目的のためには、周知で好適なロボットのいずれをも用いることができる。４軸、４自由度のＳＣＡＲＡ型ロボットを用いることが好ましい。ロボットアーム２２０は、その端部に取り扱うラックを確実につかむことができるようになっている把持部２２２を有する。
【００２７】
基盤２１２には、試料試験管（たとえば５つの試料試験管）を収容している搬入一次ラックＰＲを、基盤２１２上に同様に配置された画像解析ユニット２５０に搬送するためのコンベヤ２１４が設けられている。
【００２８】
図１５に示すように、画像解析ユニット２５０は、カメラ２５４が配置されている第１のハウジング２５２および第２のハウジング２５６を有し、第２のハウジング２５６においては、コンベヤ２１４が、一次ラックＰＲを第２のハウジング２５６に搬入するよう、均一に照らしているバックライト２５８前方の予め決められた位置（検査位置）まで通じている。第２のハウジング２５６は、録画中に一次ラックを外部光から防護する光トンネルの機能を有する。カメラ２５４は、バックライト２５８前方の予め決められたラック位置に焦点が合って、一次ラックＰＲの５つの試験管１〜５の少なくとも全てのおよび一次ラックＰＲの少なくとも上部の映像を撮ることができるように配置されている。照明の均一性をさらに向上させるために、バックグラウンド照明装置にはグラウンドガラスが設けられていてもよい。
【００２９】
カメラ２５４で撮った画像は試料試験管１〜５の、予め決められた形状についての種々のパラメータが予め決められた形状基準にしたがって解析される。（周知で、好適な種類のいずれの解析機であってもよいが）画像解析機は予め決められた、また位置間の既知の間隔（図示例においては２３ｍｍ；一次ラックＰＲの位置１だけは、一次ラックの形状のために２１．５ｍｍという小さい幅を有するが、これによりラックが適切な向きにあることを確認することができる）のために種々の試料試験管１〜５を検出して識別することができる。
【００３０】
分析されるパラメータの１つは、一次ラックＰＲの上部縁から飛び出している試料試験管の高さである。蓋を含む試料試験管の全高をｈTC、無蓋の試料試験管の高さをｈTとする。
【００３１】
他のパラメータの１つは試料試験管の径であり、それをｄTとする。さらに別のパラメータは、蓋の径であり、それをｄCとする。蓋の存在は、ｄC＞ｄTであるか否かをおよび／またはｈTC＞ｈTであるか否かを判定することにより識別することができる。
【００３２】
別のパラメータは、ラック内の試料試験管の角度、すなわち所望のまたは最適位置である垂直からのその傾きである。角度は、まず画像解析により試験管の縦軸を確定し、次いで縦軸と垂線の間の角度を測定することにより決定することができる。ラック内の試料試験管の角度を知ることは、大きく傾き過ぎている試料試験管はロボットアームの把持部により適切に持ち上げることが不可能であり、また、それは把持部により圧壊されるまたは落して粉砕される恐れがあるために重要である。全ての圧壊および粉砕は、多くの場合血液である収容流体の漏洩に繋がるために、避けなければならない。
【００３３】
さらにもう１つのパラメータは、試験管の各々の外面（壁）に付いているバーコードラベルが正しく貼付されているか否かまたは剥れそうになっていないか（すなわち剥れそうなバーコードラベルがあるか否か）ということである。このことは、試料試験管の径ｄTがその高ｈT全域にわたって一定であるか否かを調べることにより判定することができる。一定の径からの全ての逸脱が、剥れそうなバーコードラベルの表れである。これを知ることはバーコードラベルが剥れそうな試料試験管は、とりわけ一次ラックから取り出すとき（この場合、試料試験管は剥れそうなバーコードラベルのためにつかえる）またはそれらを別のラックに挿着するとき（この場合、ラベル材が邪魔になって試験管を目標とするラックの使用可能な開口に挿入することができない）に取扱いの障害となるために重要である。
【００３４】
図１６は、本発明の画像解析ユニット２５０のバックライトボックス２５８の平面図（上図）および正面図（下図）である。バックライトボックス２５８は、その最も簡単な例においては、５つの囲繞壁とカメラ２５４側の開放正面からなる箱である。壁の内側は、（バックライト自体から発せられる）照明の均一性を向上させるとともに、散乱光の侵入を防止するように構成されている。図１６からわかるように、箱は、バックライトボックスの内部にほぼ垂直に延在して、一次ラックＰＲに収容されている試料試験管１、２、３、４、５の、ラック内の試験管位置に合わせて映像区画５１１、５１２、５１３、５１４、５１５を画成するフィンまたはブレード５１０をさらに有する。
【００３５】
映像区画を画成することの他に、フィン５１０も、また１つの区画から別の区画への散乱光を低減させて、映像または画像の質を向上させる。バックライトボックスは、波長数ｎｍの単色光を放射するようになっていることが好ましい。カメラは、灰色画像の数値データを記録する。
【００３６】
フィン５１０は、バックライトボックス３１８の上壁５２２に設けられた溝５２０に配置されている（また、フィンをしっかりと固定するために、対応する溝が、底壁５２４に設けられている）。図からわかるように、フィン５１０は、互いに平行ではなくカメラ２５４のレンズの光路に沿った配列になるよう角度をなして配置されている。このことは、フィンの各々がカメラ２５４により撮った映像または画像に試験管の映像区画を相互に区切る線として写るために試料試験管が所定のラック位置にあることを判定し、また試料試験管を識別することが容易になることを意味する。
【００３７】
図１６の右側には、バックライト２５８の配線用の端子５２４が示されている。
【００３８】
使用するときには、一次ラックＰＲが画像解析ユニット２５０の第２のハウジング２５６のフィン５１０の前方またはフィン５１０の後方に挿着される（両方の選択肢が基本的に可能である；後者の場合、一次ラックはバックライトとフィンの間に挿着される；最初の選択肢は、フィンが１つの区画から別の区画への散乱光を低減するという利点を有する；上記参照）。正しい配置は一次ラックに収容されている試料試験管の各々の位置が各々２つのフィン５１０の間にあるときに得られる。図１５を参照してすでに先に説明したようにコンベヤ２１４によりラックを挿着できるようにするために適切な開口（図示せず）が第２のハウジングの側壁の１つに設けられている。
【００３９】
さらに、複数の配列要素２３０が基盤２１２に設けられている。配列要素２３０は一次ラックＰＲを所望の位置に合わせてまたはロボットアーム２２０の把持部２２２の向きに対応する向きに保持できるように構成されている。処理の全ての段階において（試料試験管の位置を何時も間違いなく特定できるよう）一次ラックＰＲの適切な向きを確保するために、一次ラックは開口２０を介してコンベヤ２１４に直接搬入するのではなくロボットアーム２２０の把持部２２２により持ち上げてコンベヤ２１４に載置される。このために、搬入ラックの受入部（図示せず）が設けられており、ロボットアームは、コンベヤ２１４に載置するために搬入ラックをそこから取り出すようになっている。
【００４０】
コンベヤ２１４は一次ラックを画像解析ユニット２５０に搬入し、そこで一次ラック内の試料試験管はその形状についてのパラメータが分析される。試料試験管の各々の形状について判定されたパラメータは予め決められた基準形状と比較されて、試料試験管がシステム適合であるか否かが判定される。分析される形状についてのパラメータの１つは試料試験管の蓋の存在であり、また分析される形状についてのもう１つのパラメータは試験管の径である。
【００４１】
試料試験管が蓋を有しないことが検出されたときには、一次ラックまたはそこに収容されているその他のいずれの試料試験管に対するさらなる処理を行なう前に、一次ラック全体がキャッピング部２６に送られる。このために第１のロボットアーム２２０は蓋がないと判定された試料試験管を再度閉蓋するために試料試験管を収容している一次ラックをキャッピング部２６に搬入するコンベヤ２４０に載置する。試料試験管に対する閉蓋が改めて行われた後に、一次ラックは以下により詳細に説明するように通常の処理に戻される。場合によっては代替として、今度は全ての試料試験管に蓋が取り付けられていて、さらなる処理を確実に実施できることを判定するために一次ラックを画像解析ユニット２５０に送り返すこともできる。
【００４２】
図３は、本発明による再仕分けステーション３１０を後方から見たときの斜視図である。再仕分けステーション３１０は、またラック取扱部１２の一部であり、図２のラック取扱領域２１０に隣接して配置されている。たとえば、再仕分けステーション３１０は図２に参照符号３１０で示したように図２のラック取扱領域２１０の左側に配置されていてもよい。図面から明らかになるように、再仕分けステーション３１０は保存区画１４の外側に配置されている。
【００４３】
再仕分けステーション３１０は複数の保存ラックＳＲを受承できるように構成されている保存ラックドッキング要素３１２を有する。保存ラックドッキング要素３１２は、基本的には対応する保存ラックＳＲをぴったりと受承できる多数の凹み３１４（図示した実施形態においては５つの凹み）が設けられたほぼ矩形の板の形状である（図１３も参照）、すなわち凹み３１４は、保存ラックの保持部として作用する。再仕分けステーション３１０は保存ラックを保持するための少なくとも２つの保持部を、具体的には第１の保存ラック用の第１の径の開口および第２の保持ラック用の第２の径の開口が設けられた保持部を有する。
【００４４】
再仕分けステーション３１０は、保存ラックドッキング要素３１２の後方に配置された第２のロボットアーム３２０をさらに有し、第２のロボットアーム３２０に取り付けられた把持部３２２は、再仕分けステーション３１０の全ての位置に届くことができるようになっている。第２のロボットアーム３２０は、先に説明したラック取扱領域２１０の第１のロボットアーム２２０に類似のまたはそれと同じ種類のロボットアームであるが、異なる把持部３２２、すなわち試料試験管用把持部が設けられており、一方、ラック取扱領域２１０の第１のロボットアーム２２０には一次ラック用把持部２２２が設けられている。
【００４５】
また、再仕分けステーション３１０は、ラック取扱領域２１０に対し非常に近い位置に配置され、ラック取扱領域２１０の第１のロボットアーム２２０によって容易に届くことができるとともに一次ラックを載置できるようになっている一次ラックドッキング要素３４０を有する。図５の平面図において、参照符号１４、２１０の矢印の各々は、再仕分けステーション３１０の向き、すなわち一次ラックドッキング要素３４０および再仕分けステーション３１０の第２のロボットアーム３２０の背面はラック取扱領域２１０を向いており、一方、保存ラックドッキング要素３１２および第２のロボットアーム３２０の正面は、冷蔵または保存区画１４を向いていることを示す。
【００４６】
使用するときには、試料試験管Ｓを収容している一次ラックＰＲがコンベヤ２１４により画像解析ユニット２５０に搬入され、そこで、試料試験管Ｓは、試料試験管がシステム適合であるかまたはシステム非適合であるかを判定するために、所定の予め決められた形状についてのパラメータが分析される。この分析の後に、一次ラックＰＲは（一次ラック内の全ての試料試験管に蓋が付いていることが検知されている場合；そうでない場合には上述のようにまず再閉蓋の処理が行なわれ、次いで必要に応じて改めて画像解析が行われる）ラック取扱領域２１０の第１のロボットアーム２２０により一次ラックドッキング要素３４０に移送される。
【００４７】
一次ラックＰＲは、一次ラックドッキング要素３４０の一次ラックにぴったり嵌合して受承できるようになっている凹み３４６に配置される（図６参照）。図６〜図８からわかるように、一次ラックドッキング要素３４０は４つのドッキング位置４４２、４４４を有し、その中の２つ（参照符号３４２）は一次ラック固定機構３５０、３５２、３５４を有する。固定機構を備える２つのドッキング位置３４２は搬入一次ラック、すなわち搬出されることになっていて保存ラックＳＲに再仕分けされた試料試験管を収容している一次ラックだけを受承するようになっている。固定機構を備えない残り２つのドッキング位置３４４は搬出ラック、すなわち保存区画から搬出された試料試験管を収容しているラックだけを受承するようになっている。
【００４８】
固定機構は、ほぼＬ字形を有するレバー３５０を含む。レバー３５０は一次ラックドッキング要素３４０に取り付けられた基部３５４に枢動可能に連結されており、この連結はレバー３５０のＬ字の長い方の脚部が凹み３４６の外側に凹みのほぼ中央部からそのほぼ外側端部までそれに平行に、またドッキング位置の縦軸にも平行に延在することとなるように行なわれている。レバー３５０のＬ字の短い方の脚部は凹み３４６に隣接する小さい開口３４８の中へと延出してそこに位置付けられている。レバー３５０は付勢位置に在るとき上向きに傾斜するよう、つる巻バネなどのような好適な付勢要素により基部３５４に対して付勢されている。また、ピン３５２がレバー３５０の短い脚部の端部からそれにほぼ直交する方向に延出して凹み３４６の内部に達している。
【００４９】
固定機構は、第１のロボットアーム２２０の把持部２２２から突出している対応するボルト２２４により駆動されるようになっている。ボルト２２４は、把持部２２２によって一次ラックＰＲの前端７６をつかんだとき把持部２２２の下方にほぼ水平に、また一次ラックＰＲの外周より外側まで突出する、すなわちボルト２２４が一次ラックＰＲの縦軸に直交して突出する形態で把持部２２２に取り付けられている（図１１と図１２を参照）。
【００５０】
第１のロボットアーム２２０が一次ラックＰＲを一次ラックドッキング要素３４０に挿着するとき、それは一次ラックＰＲを受承ドッキング位置３４２の１つの凹み３４６に配置する。第１のロボットアーム２２０が一次ラックを受承ドッキング位置３４２の凹み３４６の中に降下させたとき、ボルト２２４がレバー３５０の長い脚部の外側端部に接触し、さらにその付勢力に抗してそれを押し下げるために、ピン３５２は受承位置へと揺動して一次ラックＰＲの底の対応する開口８０に係合することができる（図９参照）。
【００５１】
把持部２２２が一次ラックＰＲをドッキング位置３４２で解放して上に戻るとき、ボルト２２４もまた上昇し、レバー３５０はその付勢位置に揺動して復帰することが可能になり、これによりレバー３５０は、開口８０の切欠き８２内でピン３５２に係合し、さらに一次ラックＰＲは凹み３４６内の安定位置に固定されるために試料試験管Ｓを確実な方法で搬出することが可能になる。
【００５２】
一次ラックＰＲが再仕分けステーションの一次ラックドッキング要素３４０に配置されているとき（図３〜図５参照）、再仕分けステーション３１０の第２のロボットアーム３２０は一次ラックＰＲに収容されている試料試験管Ｓを取り出し、次いでその試験管用把持部３２２により取り出すことによりそれらの搬出が開始されるようになっている。試験管用把持部３２２は１つの試料試験管Ｓを持ち上げ、次いでそれを保持ラックドッキング要素３１２に移送する。その途中、試料試験管Ｓは第２のロボットアーム３２０の前方に配置されたバーコードリーダ３３０を通過し、この場合第２のロボットアーム３２０は保存ラックＳＲに移動させる途中、試料試験管Ｓをバーコードリーダ３３０の光路に沿わせ、同時に試料試験管の外面に貼付されたバーコードをバーコードリーダ３３０により読み取ることができるよう試料試験管を回転させるようになっている。試料試験管が試料試験管用把持部３２２により保持されている間にバーコードを読み取ることができるようにするために、試料試験管用把持部３２２は図３と図４からわかるようにつかみ指３２４の各々に縦孔３２６を備える。
【００５３】
研究室装置１０の全ての電子機器、すなわちロボットアームと各々の制御ユニット、画像解析ユニット、バーコードリーダなどは、データベースを備える中央ＣＰＵに接続されているために、第２のロボットアーム３２０は搬出されようとしている一次ラック内の、どの試料試験管がシステム適合であって搬出できるかを「知る」ことができるようになっている。したがって、システム適合であると前もって分類された試料試験管だけが再仕分けステーション３１０において取り出され、システム非適合であると分類された試料試験管は一次ラックに留め置かれるようになっている。
【００５４】
再仕分け工程において、再仕分け部を制御している制御ユニットまたはＣＰＵ（図示せず）は、画像解析中に前もって収集されたデータを利用する、すなわち所定の試料試験管についての画像識別結果が記録されており、試料試験管は収容されている一次ラック（このために、全ての一次ラックには識別を目的とするバーコードラベルが貼付されている）および一次ラック内のその位置（位置１〜５、図１５参照；一次ラックの向きは、一次ラックが非対称に形成されているために間違いなく判別できる）により識別できるようになっていて、どの保存ラック内の、どの試料試験管を再仕分けする必要があるのかを「知る」ために、再仕分け部が利用する。
【００５５】
システムは、再仕分けステーション３１０のバーコードリーダ３３０により、たとえば試料試験管の保存期限のような正しい仕分けに関係する別のデータを取り出すこともできる。さらに同一の情報がバーコードラベルからも得られる場合には、システムは試料試験管の同一性をおよび／または試験管用把持部３２２により保持されている試料試験管がシステム適合であるか否かを再確認することができる。バーコードラベル以外の好適ないずれの種類の情報記憶手段をも用いることができると了解されるものとする。とりわけ、ＲＦＩＤタグ（恐らくはバーコートと組み合わせて）は、（画像解析工程のような）シングル工程で収集した情報・データをＲＦＩＤタグに書き込み、また（再仕分けまたは取出しのような）その後の全ての取扱い工程において読み出すことができるために好適である。
【００５６】
種々の径の試料試験管を第２のロボットアーム３２０から受け取るための種々の径の孔を備える、複数の保存ラックＳＲが保存ラックドッキング要素３１２上に設けられている。このことは、所定の径の全ての試料試験管は各々に対応する適切な保存ラックに収容され、また同じ保存期限の試料試験管だけが同一の保存ラックに収容されることを意味する。勿論、その他の仕分け基準も可能である。このように本発明によると、再仕分けは１つを超える再仕分け基準に基づいて行なわれる。
【００５７】
図１３からわかるように、保存ラックＳＲはたとえば互いに平行ではなく、円弧に沿い、また冷蔵または保存区画１４に繋がるゲート（すなわち２つの部分１２、１４の間の搬入・搬出インターフェース；図示せず）に向けて配置されている。保存ラックが保存区画１４の冷蔵庫１６に搬入できるようになったときゲートが開き、また冷蔵庫１６内に配置されている（第３の）ロボット搬送システムがゲートの開口を通って延出し、目的の保存ラックを持ち上げて冷蔵庫に搬入する。保存ラックＳＲの各々の前面９０は垂直の細長い隙間９２を有し、その下端にはほぼ水平方向の円形孔９４が設けられている。第３のロボット搬送システムは適切な相補的な要素、たとえば適切な大きさのフックを用いて円形孔９４を介して保存ラックに連結し、さらに保存ラックを第３のロボット搬送システムの基盤（図示せず）の上に引き出すことができるようになっている。
【００５８】
保存区画には、少なくとも部分的に保存ラックが予め装着されている。保存区画は棚に加えまたはそれに替えて、保存ラック用の仕切られたトレイまたは挿入体をさらに有する。また、異なる高さの試料試験管を保存するとき利用可能なスペースを最大に活用するために異なる高さの棚または区画が設けられている。その他の領域は手作業による取扱いを必要とするエラー表示の保存ラック、たとえば識別不能な試験管、欠陥のある試験管、適切に取り扱うには高過ぎる試験管、バーコードラベルが剥れそうな試験管を収容しているラック、物理的に欠陥のあるラックなど）のために取っておかれる。
【００５９】
図１３と図１４からわかるように、保存ラックドッキング要素３１２は保存ラックを受承するための複数の凹みが設けられており、凹みは断面においてＴ字形の溝を有し、保存ラックＳＲがその側面９８の下部縁に沿って設けられた対応する延長部９６によりそこに摺動可能に係合できるようになっている。
【００６０】
試料試験管に別の試験または再試験を行う必要があるときには、それは保存区画から以下の手順にしたがって取り出される。まずシステム（ＣＰＵ）が、要求された試料試験管が収容されている保存ラックを特定し、次いで制御信号を第３のロボット搬送システムに送って第３のロボット搬送システムに、その保存ラックを保存区画１４の棚から搬入・搬出インターフェースを反対向きにラック取扱部１２の再仕分けステーション３１０へと取り出させ、そこで保存ラックは凹み３１４の１つの中に配置される。要求された試料試験管は、次いで第２のロボットアーム３２０により保存ラックＳＲから搬出一次ラックに再仕分けされる。この後に搬出ラックは、外部位置（図示せず）、たとえばラック取扱領域２１０に隣接して配置されているラックトレイ受承組立体に載置されたラックトレイ内に移送されるが保存ラックＳＲは保存区画１４の棚位置に返送される。この外部位置は研究室の分析装置（分析モジュール）とのインターフェースであるために、このラックを自動的に直接さらに移送できるよう分析装置のロボットアームによって操作できるようになっている。代替として、手動によりこのラックを外部位置から取り出すこともできる。
【符号の説明】
【００６１】
１２  ラック取扱部
１４  保存区画
１８  処理装置
２２０  ロボットアーム
２２２  一次ラック用把持部
３１０  再仕分けステーション
３１２  保存ラックドッキング要素
３１４  保存部
３２０  第２ロボットアーム
３４０、３４６  凹み
３５０、３５２、３５４  ロック機構
【図１】
0005798588.tif 000002
【図２】
0005798588.tif 000003
【図３】
0005798588.tif 000004
【図４】
0005798588.tif 000005
【図５】
0005798588.tif 000006
【図６】
0005798588.tif 000007
【図７】
0005798588.tif 000008
【図８】
0005798588.tif 000009
【図９】
0005798588.tif 000010
【図１０】
0005798588.tif 000011
【図１１】
0005798588.tif 000012
【図１２】
0005798588.tif 000013
【図１３】
0005798588.tif 000014
【図１４】
0005798588.tif 000015
【図１５】
0005798588.tif 000016
【図１６】
0005798588.tif 000017